(57)【要約】【課題】所謂ヒートポンプ方式の車両用空気調和装置において、効率の良い快適な車室内暖房を的確に行う。【解決手段】空気流通路３から車室内に供給する空気を加熱する熱媒体循環回路２３を備える。放熱器４の要求暖房能力ＴＧＱに対して実暖房能力Ｑｈｐが不足する分を補完する熱媒体循環回路の要求暖房能力ＴＧＱｈｔｒを算出する。室外熱交換器７の冷媒蒸発温度ＴＸＯと無着霜時の冷媒蒸発温度ＴＸＯｂａｓｅの差ΔＴＸＯから実暖房能力Ｑｈｐの低下量ΔＱｈｐを算出し、要求暖房能力ＴＧＱｈｔｒに低下量ΔＱｈｐを加えて熱媒体循環回路による加熱を実行する。【選択図】図１
2015229370.tif 000002
【特許請求の範囲】
【請求項１】
冷媒を圧縮する圧縮機と、
車室内に供給する空気が流通する空気流通路と、
冷媒を放熱させて前記空気流通路から前記車室内に供給する空気を加熱するための放熱器と、
冷媒を吸熱させて前記空気流通路から前記車室内に供給する空気を冷却するための吸熱器と、
前記車室外に設けられて冷媒を放熱又は吸熱させる室外熱交換器と、
制御手段とを備え、
該制御手段により少なくとも、前記圧縮機から吐出された冷媒を前記放熱器にて放熱させ、放熱した当該冷媒を減圧した後、前記室外熱交換器にて吸熱させる暖房モードを実行する車両用空気調和装置において、
前記空気流通路から前記車室内に供給する空気を加熱するための補助加熱手段を備え、
前記制御手段は、
要求される前記放熱器の暖房能力である要求暖房能力ＴＧＱと、当該放熱器が実際に発生する実暖房能力Ｑｈｐに基づき、前記要求暖房能力ＴＧＱに対して前記実暖房能力Ｑｈｐが不足する分を補完するための前記補助加熱手段の要求暖房能力ＴＧＱｈｔｒを算出すると共に、
前記室外熱交換器の冷媒蒸発温度ＴＸＯと、無着霜時における当該室外熱交換器の冷媒蒸発温度ＴＸＯｂａｓｅとの差ΔＴＸＯに基づいて前記室外熱交換器の着霜による前記実暖房能力Ｑｈｐの低下量ΔＱｈｐを算出し、
前記補助加熱手段の要求暖房能力ＴＧＱｈｔｒに前記低下量ΔＱｈｐを加えて前記補助加熱手段による加熱を実行することを特徴とする車両用空気調和装置。
【請求項２】
前記制御手段は、前記差ΔＴＸＯに基づいて前記室外熱交換器の着霜率を算出し、該着霜率が所定値以上となった場合、前記圧縮機を停止すると共に、前記要求暖房能力ＴＧＱにより前記補助加熱手段を制御することを特徴とする請求項１に記載の車両用空気調和装置。
【請求項３】
前記制御手段は、前記実暖房能力の低下量ΔＱｈｐに基づいて前記室外熱交換器の着霜率を算出し、該着霜率が所定値以上となった場合、前記圧縮機を停止すると共に、前記要求暖房能力ＴＧＱにより前記補助加熱手段を制御することを特徴とする請求項１に記載の車両用空気調和装置。
【請求項４】
前記制御手段は、前記放熱器が発生可能な最大暖房能力Ｑｈｐｍａｘを算出し、前記差ΔＴＸＯに基づいて前記室外熱交換器の着霜による前記最大暖房能力Ｑｈｐｍａｘの低下量ΔＱｈｐｍａｘを算出すると共に、
該最大暖房能力の低下量ΔＱｈｐｍａｘに基づいて前記室外熱交換器の着霜率を算出し、該着霜率が所定値以上となった場合、前記圧縮機を停止すると共に、前記要求暖房能力ＴＧＱにより前記補助加熱手段を制御することを特徴とする請求項１に記載の車両用空気調和装置。
【請求項５】
前記制御手段は、前記放熱器が発生可能な最大暖房能力Ｑｈｐｍａｘを算出すると共に、前記差ΔＴＸＯに基づいて前記室外熱交換器の着霜による前記最大暖房能力Ｑｈｐｍａｘの低下量ΔＱｈｐｍａｘを算出し、
該低下量ΔＱｈｐｍａｘが所定値以上となった場合、前記圧縮機を停止し、前記要求暖房能力ＴＧＱにより前記補助加熱手段を制御することを特徴とする請求項１に記載の車両用空気調和装置。
【請求項６】
前記制御手段は、前記実暖房能力の低下量ΔＱｈｐが所定値以上となった場合、前記圧縮機を停止し、前記要求暖房能力ＴＧＱにより前記補助加熱手段を制御することを特徴とする請求項１に記載の車両用空気調和装置。
【請求項７】
前記制御手段は、前記放熱器を通過する空気の風量Ｇａと、外気温度Ｔａｍと、前記圧縮機の上限回転数Ｎｃｍａｘに基づいて前記最大暖房能力Ｑｈｐｍａｘを算出すると共に、
前記風量Ｇａと、前記外気温度Ｔａｍと、前記圧縮機の実回転数Ｎｃに基づいて前記実暖房能力Ｑｈｐを算出することを特徴とする請求項１乃至請求項６のうちの何れかに記載の車両用空気調和装置。
【請求項８】
前記制御手段は、前記放熱器を通過した後の空気温度ＴＨｏｕｔと当該放熱器の吸込空気温度ＴＨｉｎとの差（ＴＨｏｕｔ−ＴＨｉｎ）と、前記放熱器に流入する空気の比熱Ｃａと、前記放熱器を通過する空気の風量Ｇａに基づいて前記実暖房能力Ｑｈｐを算出することを特徴とする請求項１乃至請求項６のうちの何れかに記載の車両用空気調和装置。
【請求項９】
前記補助加熱手段が、前記放熱器と共に前記空気流通路の空気の流れに対して当該放熱器の上流側に配置される場合、前記制御手段は、前記放熱器の吸込空気温度ＴＨｉｎを加味して前記最大暖房能力Ｑｈｐｍａｘ及び前記実暖房能力Ｑｈｐを算出することを特徴とする請求項７に記載の車両用空気調和装置。
【請求項１０】
熱媒体−空気熱交換器と、電気ヒータと、循環手段とを有し、前記電気ヒータにより加熱された熱媒体を前記循環手段により前記熱媒体−空気熱交換器に循環する熱媒体循環回路を備え、前記熱媒体−空気熱交換器により前記補助加熱手段を構成したことを特徴とする請求項１乃至請求項９のうちの何れかに記載の車両用空気調和装置。
【請求項１１】
電気ヒータにより前記補助加熱手段を構成したことを特徴とする請求項１乃至請求項９のうちの何れかに記載の車両用空気調和装置。
【請求項１２】
前記空気流通路外に前記放熱器を設けると共に、
該放熱器と熱交換する熱媒体−冷媒熱交換器と、前記空気流通路に設けられた熱媒体−空気熱交換器と、電気ヒータと、循環手段とを有し、前記熱媒体−冷媒熱交換器、及び／又は、前記電気ヒータにより加熱された熱媒体を前記循環手段により前記熱媒体−空気熱交換器に循環させる熱媒体循環回路から前記補助加熱手段を構成したことを特徴とする請求項１乃至請求項８のうちの何れかに記載の車両用空気調和装置。
【発明の詳細な説明】
【技術分野】
【０００１】
本発明は、車両の車室内を空調するヒートポンプ方式の空気調和装置、特にハイブリッド自動車や電気自動車に好適な車両用空気調和装置に関するものである。
【背景技術】
【０００２】
近年の環境問題の顕在化から、ハイブリッド自動車や電気自動車が普及するに至っている。そして、このような車両に適用することができる空気調和装置として、冷媒を圧縮して吐出する圧縮機と、車室内側に設けられて冷媒を放熱させる放熱器（凝縮器）と、車室内側に設けられて冷媒を吸熱させる吸熱器（蒸発器）と、車室外側に設けられて冷媒を放熱又は吸熱させる室外熱交換器を備え、圧縮機から吐出された冷媒を放熱器において放熱させ、この放熱器において放熱した冷媒を室外熱交換器において吸熱させる暖房モードと、圧縮機から吐出された冷媒を放熱器において放熱させ、放熱器において放熱した冷媒を吸熱器において吸熱させる除湿モードと、圧縮機から吐出された冷媒を室外熱交換器において放熱させ、吸熱器において吸熱させる冷房モードの各モードを切り換えて実行するものが開発されている（例えば、特許文献１参照）。
【０００３】
また、特許文献１では放熱器から出た冷媒を分流し、この分流した冷媒を減圧した後、当該放熱器を出た冷媒と熱交換させ、圧縮機の圧縮途中に戻すインジェクション回路を設け、それにより、圧縮機の吐出冷媒を増加させ、放熱器による暖房能力を向上させていた。
【先行技術文献】
【特許文献】
【０００４】
【特許文献１】特許第３９８５３８４号公報
【発明の概要】
【発明が解決しようとする課題】
【０００５】
しかしながら、上記のような空気調和装置では、室外熱交換器に着霜した場合、外気中から吸熱することができなくなるため、所要の暖房能力が得られなくなる問題がある。この様子を図１１に示す。横軸は室外熱交換器の冷媒蒸発温度ＴＸＯ（又は、圧縮機の吸込冷媒温度Ｔｓ）、縦軸は放熱器が実際に発生する暖房能力（実暖房能力）である。また、図中ＴＸＯｂａｓｅは室外熱交換器に着霜していないときの冷媒蒸発温度である。
【０００６】
この図からも明らかな如く、室外熱交換器に着霜すると冷媒蒸発温度ＴＸＯが無着霜時の冷媒蒸発温度ＴＸＯｂａｓｅより低下していく（差ΔＴＸＯ＝ＴＸＯｂａｓｅ−ＴＸＯ）。それに伴い、圧縮機の各回転数において、放熱器の暖房能力も低下していくことが分かる。尚、圧縮機の回転数が低下することで冷媒蒸発温度ＴＸＯは上昇する。
【０００７】
また、放熱器を出た冷媒の温度は低いため、分流されて減圧された冷媒との熱交換量も少なくなる。そのため、圧縮機の圧縮途中にガスをインジェクションするためには、インジェクション回路に流す冷媒の量を増やすことに限界があり、圧縮機の吐出冷媒を十分に増加させることができず、結果として十分な暖房能力が得られなくなる欠点があった。
【０００８】
本発明は、係る従来の技術的課題を解決するために成されたものであり、所謂ヒートポンプ方式の車両用空気調和装置において、効率の良い快適な車室内暖房を的確に行うことを目的とする。
【課題を解決するための手段】
【０００９】
本発明の車両用空気調和装置は、冷媒を圧縮する圧縮機と、車室内に供給する空気が流通する空気流通路と、冷媒を放熱させて空気流通路から車室内に供給する空気を加熱するための放熱器と、冷媒を吸熱させて空気流通路から車室内に供給する空気を冷却するための吸熱器と、車室外に設けられて冷媒を放熱又は吸熱させる室外熱交換器と、制御手段とを備え、この制御手段により少なくとも、圧縮機から吐出された冷媒を放熱器にて放熱させ、放熱した当該冷媒を減圧した後、室外熱交換器にて吸熱させる暖房モードを実行するものであって、空気流通路から車室内に供給する空気を加熱するための補助加熱手段を備え、制御手段は、要求される放熱器の暖房能力である要求暖房能力ＴＧＱと、当該放熱器が実際に発生する実暖房能力Ｑｈｐに基づき、要求暖房能力ＴＧＱに対して実暖房能力Ｑｈｐが不足する分を補完するための補助加熱手段の要求暖房能力ＴＧＱｈｔｒを算出すると共に、室外熱交換器の冷媒蒸発温度ＴＸＯと、無着霜時における当該室外熱交換器の冷媒蒸発温度ＴＸＯｂａｓｅとの差ΔＴＸＯに基づいて室外熱交換器の着霜による実暖房能力Ｑｈｐの低下量ΔＱｈｐを算出し、補助加熱手段の要求暖房能力ＴＧＱｈｔｒに前記低下量ΔＱｈｐを加えて補助加熱手段による加熱を実行することを特徴とする。
【００１０】
請求項２の発明の車両用空気調和装置は、上記発明において制御手段は、前記差ΔＴＸＯに基づいて室外熱交換器の着霜率を算出し、この着霜率が所定値以上となった場合、圧縮機を停止すると共に、要求暖房能力ＴＧＱにより補助加熱手段を制御することを特徴とする。
【００１１】
請求項３の発明の車両用空気調和装置は、請求項１の発明において制御手段は、実暖房能力の低下量ΔＱｈｐに基づいて室外熱交換器の着霜率を算出し、この着霜率が所定値以上となった場合、圧縮機を停止すると共に、要求暖房能力ＴＧＱにより補助加熱手段を制御することを特徴とする。
【００１２】
請求項４の発明の車両用空気調和装置は、請求項１の発明において制御手段は、放熱器が発生可能な最大暖房能力Ｑｈｐｍａｘを算出し、前記差ΔＴＸＯに基づいて室外熱交換器の着霜による最大暖房能力Ｑｈｐｍａｘの低下量ΔＱｈｐｍａｘを算出すると共に、この最大暖房能力の低下量ΔＱｈｐｍａｘに基づいて室外熱交換器の着霜率を算出し、この着霜率が所定値以上となった場合、圧縮機を停止すると共に、要求暖房能力ＴＧＱにより補助加熱手段を制御することを特徴とする。
【００１３】
請求項５の発明の車両用空気調和装置は、請求項１の発明において制御手段は、放熱器が発生可能な最大暖房能力Ｑｈｐｍａｘを算出すると共に、前記差ΔＴＸＯに基づいて室外熱交換器の着霜による最大暖房能力Ｑｈｐｍａｘの低下量ΔＱｈｐｍａｘを算出し、この低下量ΔＱｈｐｍａｘが所定値以上となった場合、圧縮機を停止し、要求暖房能力ＴＧＱにより補助加熱手段を制御することを特徴とする。
【００１４】
請求項６の発明の車両用空気調和装置は、請求項１の発明において制御手段は、実暖房能力の低下量ΔＱｈｐが所定値以上となった場合、圧縮機を停止し、要求暖房能力ＴＧＱにより補助加熱手段を制御することを特徴とする。
【００１５】
請求項７の発明の車両用空気調和装置は、上記各発明において制御手段は、放熱器を通過する空気の風量Ｇａと、外気温度Ｔａｍと、圧縮機の上限回転数Ｎｃｍａｘに基づいて最大暖房能力Ｑｈｐｍａｘを算出すると共に、風量Ｇａと、外気温度Ｔａｍと、圧縮機の実回転数Ｎｃに基づいて実暖房能力Ｑｈｐを算出することを特徴とする。
【００１６】
請求項８の発明の車両用空気調和装置は、請求項１乃至請求項６の発明において制御手段は、放熱器を通過した後の空気温度ＴＨｏｕｔと当該放熱器の吸込空気温度ＴＨｉｎとの差（ＴＨｏｕｔ−ＴＨｉｎ）と、放熱器に流入する空気の比熱Ｃａと、放熱器を通過する空気の風量Ｇａに基づいて実暖房能力Ｑｈｐを算出することを特徴とする。
【００１７】
請求項９の発明の車両用空気調和装置は、請求項７の発明において補助加熱手段が、放熱器と共に空気流通路の空気の流れに対して当該放熱器の上流側に配置される場合、制御手段は、放熱器の吸込空気温度ＴＨｉｎを加味して最大暖房能力Ｑｈｐｍａｘ及び実暖房能力Ｑｈｐを算出することを特徴とする。
【００１８】
請求項１０の発明の車両用空気調和装置は、上記各発明において熱媒体−空気熱交換器と、電気ヒータと、循環手段とを有し、電気ヒータにより加熱された熱媒体を循環手段により熱媒体−空気熱交換器に循環する熱媒体循環回路を備え、熱媒体−空気熱交換器により補助加熱手段を構成したことを特徴とする。
【００１９】
請求項１１の発明の車両用空気調和装置は、請求項１乃至請求項９の発明において電気ヒータにより補助加熱手段を構成したことを特徴とする。
【００２０】
請求項１２の発明の車両用空気調和装置は、請求項１乃至請求項８の発明において空気流通路外に放熱器を設けると共に、この放熱器と熱交換する熱媒体−冷媒熱交換器と、空気流通路に設けられた熱媒体−空気熱交換器と、電気ヒータと、循環手段とを有し、熱媒体−冷媒熱交換器、及び／又は、電気ヒータにより加熱された熱媒体を循環手段により熱媒体−空気熱交換器に循環させる熱媒体循環回路から補助加熱手段を構成したことを特徴とする。
【発明の効果】
【００２１】
本発明によれば、冷媒を圧縮する圧縮機と、車室内に供給する空気が流通する空気流通路と、冷媒を放熱させて空気流通路から車室内に供給する空気を加熱するための放熱器と、冷媒を吸熱させて空気流通路から車室内に供給する空気を冷却するための吸熱器と、車室外に設けられて冷媒を放熱又は吸熱させる室外熱交換器と、制御手段とを備え、この制御手段により少なくとも、圧縮機から吐出された冷媒を放熱器にて放熱させ、放熱した当該冷媒を減圧した後、室外熱交換器にて吸熱させる暖房モードを実行する車両用空気調和装置において、空気流通路から車室内に供給する空気を加熱するための補助加熱手段を備え、制御手段は、要求される放熱器の暖房能力である要求暖房能力ＴＧＱと、当該放熱器が実際に発生する実暖房能力Ｑｈｐに基づき、要求暖房能力ＴＧＱに対して実暖房能力Ｑｈｐが不足する分を補完するための補助加熱手段の要求暖房能力ＴＧＱｈｔｒを算出して補助加熱手段による加熱を実行するので、要求暖房能力ＴＧＱに対して放熱器の実暖房能力Ｑｈｐが不足する場合に、補助加熱手段により車室内に供給する空気を加熱して暖房能力を補完することができるようになり、快適な車室内暖房を実現することが可能となる。
【００２２】
また、放熱器による暖房能力が不足している状況下で補助加熱手段による加熱を実行するので、補助加熱手段による加熱に伴う効率の悪化も最小限に抑えることが可能となる。これにより、特に電気自動車においては航続距離が低下する不都合を効果的に抑制することが可能となる。
【００２３】
特に制御手段は、室外熱交換器の着霜による実暖房能力Ｑｈｐの低下量ΔＱｈｐを算出し、補助加熱手段の要求暖房能力ＴＧＱｈｔｒに前記低下量ΔＱｈｐを加えて補助加熱手段による加熱を実行するので、室外熱交換器に着霜が生じて実暖房能力Ｑｈｐが低下している場合に、その低下量ΔＱｈｐも補助加熱手段により補完することができるようになり、快適さをより一層向上させることができるようになる。
【００２４】
この場合制御手段は、室外熱交換器の冷媒蒸発温度ＴＸＯと、無着霜時における当該室外熱交換器の冷媒蒸発温度ＴＸＯｂａｓｅとの差ΔＴＸＯに基づいて室外熱交換器の着霜による実暖房能力Ｑｈｐの低下量ΔＱｈｐを算出するので、精度良く低下量ΔＱｈｐを算出して補助加熱手段の制御を的確に実行することが可能となるものである。
【００２５】
このとき、請求項２の発明の如く制御手段が、前記差ΔＴＸＯに基づいて室外熱交換器の着霜率を算出し、この着霜率が所定値以上となった場合、圧縮機を停止すると共に、要求暖房能力ＴＧＱにより補助加熱手段を制御するようにすれば、差ΔＴＸＯから室外熱交換器への着霜の進行度合いを把握し、着霜が進行してしまった場合には補助加熱手段のみによる車室内暖房に切り換えることができるようになる。これより、室外熱交換器のそれ以上の着霜の成長を防止し、或いは、着霜の融解を促進しながら、補助加熱手段により車室内の暖房も引き続き行うことが可能となる。
【００２６】
また、請求項３の発明の如く制御手段が、実暖房能力の低下量ΔＱｈｐに基づいて室外熱交換器の着霜率を算出し、この着霜率が所定値以上となった場合、圧縮機を停止すると共に、要求暖房能力ＴＧＱにより補助加熱手段を制御するようにしても、実暖房能力の低下量ΔＱｈｐから室外熱交換器への着霜の進行度合いを把握し、着霜が進行してしまった場合には補助加熱手段のみによる車室内暖房に切り換えることができるようになる。これより、同様に室外熱交換器のそれ以上の着霜の成長を防止し、或いは、着霜の融解を促進しながら、補助加熱手段により車室内の暖房も引き続き行うことが可能となる。
【００２７】
また、請求項４の発明の如く制御手段が、放熱器が発生可能な最大暖房能力Ｑｈｐｍａｘを算出し、前記差ΔＴＸＯに基づいて室外熱交換器の着霜による最大暖房能力Ｑｈｐｍａｘの低下量ΔＱｈｐｍａｘを算出すると共に、この最大暖房能力の低下量ΔＱｈｐｍａｘに基づいて室外熱交換器の着霜率を算出し、この着霜率が所定値以上となった場合、圧縮機を停止すると共に、要求暖房能力ＴＧＱにより補助加熱手段を制御するようにしても、最大暖房能力の低下量ΔＱｈｐｍａｘから室外熱交換器への着霜の進行度合いを把握し、着霜が進行してしまった場合には補助加熱手段のみによる車室内暖房に切り換えることができるようになる。これより、同様に室外熱交換器のそれ以上の着霜の成長を防止し、或いは、着霜の融解を促進しながら、補助加熱手段により車室内の暖房も引き続き行うことが可能となる。
【００２８】
また、請求項５の発明の如く制御手段が、放熱器が発生可能な最大暖房能力Ｑｈｐｍａｘを算出すると共に、前記差ΔＴＸＯに基づいて室外熱交換器の着霜による最大暖房能力Ｑｈｐｍａｘの低下量ΔＱｈｐｍａｘを算出し、この低下量ΔＱｈｐｍａｘが所定値以上となった場合、圧縮機を停止し、要求暖房能力ＴＧＱにより補助加熱手段を制御するようにすれば、最大暖房能力の低下量ΔＱｈｐｍａｘから直接室外熱交換器への着霜の進行度合いを判断し、着霜が進行してしまった場合には補助加熱手段のみによる車室内暖房に切り換えることができるようになる。これより、同様に室外熱交換器のそれ以上の着霜の成長を防止し、或いは、着霜の融解を促進しながら、補助加熱手段により車室内の暖房も引き続き行うことが可能となる。
【００２９】
また、請求項６の発明の如く制御手段が、実暖房能力の低下量ΔＱｈｐが所定値以上となった場合、圧縮機を停止し、要求暖房能力ＴＧＱにより補助加熱手段を制御するようにしても、実暖房能力の低下量ΔＱｈｐから直接室外熱交換器への着霜の進行度合いを判断し、着霜が進行してしまった場合には補助加熱手段のみによる車室内暖房に切り換えることができるようになる。これより、同様に室外熱交換器のそれ以上の着霜の成長を防止し、或いは、着霜の融解を促進しながら、補助加熱手段により車室内の暖房も引き続き行うことが可能となる。
【００３０】
この場合、請求項７の発明の如く制御手段が、放熱器を通過する空気の風量Ｇａと、外気温度Ｔａｍと、圧縮機の上限回転数Ｎｃｍａｘに基づいて最大暖房能力Ｑｈｐｍａｘを算出すると共に、風量Ｇａと、外気温度Ｔａｍと、圧縮機の実回転数Ｎｃに基づいて実暖房能力Ｑｈｐを算出することにより、放熱器による暖房能力の判断とそれが不足することに伴う補助加熱手段による加熱を的確に制御することが可能となる。
【００３１】
このとき、請求項９の発明の如く補助加熱手段が、放熱器と共に空気流通路の空気の流れに対して当該放熱器の上流側に配置される場合には、制御手段が、放熱器の吸込空気温度ＴＨｉｎを加味して最大暖房能力Ｑｈｐｍａｘ及び実暖房能力Ｑｈｐを算出するようにすることにより、補助加熱手段により加熱された空気が放熱器に流入する場合に、それに伴う熱量の変化分を加味して正確に放熱器の最大暖房能力Ｑｈｐｍａｘや実暖房能力Ｑｈｐを算出することが可能となる。
【００３２】
また、請求項８の発明の如く制御手段が、放熱器を通過した後の空気温度ＴＨｏｕｔと当該放熱器の吸込空気温度ＴＨｉｎとの差（ＴＨｏｕｔ−ＴＨｉｎ）と、放熱器に流入する空気の比熱Ｃａと、放熱器を通過する空気の風量Ｇａに基づいて実暖房能力Ｑｈｐを算出するようにしても的確に放熱器の実暖房能力Ｑｈｐを算出し、補助加熱手段による加熱を制御することが可能となる。
【００３３】
尚、請求項１０の発明の如く熱媒体−空気熱交換器と、電気ヒータと、循環手段とを有し、電気ヒータにより加熱された熱媒体を循環手段により熱媒体−空気熱交換器に循環する熱媒体循環回路を設け、熱媒体−空気熱交換器により補助加熱手段を構成することにより、電気的に安全な車室内暖房を実現することができるようになる。
【００３４】
一方、請求項１１の発明の如く電気ヒータにより補助加熱手段を構成すれば、構造の簡素化を図ることができるようになる。
【００３５】
また、請求項１２の発明の如く空気流通路外に放熱器を設けると共に、この放熱器と熱交換する熱媒体−冷媒熱交換器と、空気流通路に設けられた熱媒体−空気熱交換器と、電気ヒータと、循環手段とを有し、熱媒体−冷媒熱交換器、及び／又は、電気ヒータにより加熱された熱媒体を循環手段により熱媒体−空気熱交換器に循環させる熱媒体循環回路から補助加熱手段を構成することによっても電気的な安全性を向上させることができる。
【図面の簡単な説明】
【００３６】
【図１】本発明を適用した一実施形態の車両用空気調和装置の構成図である。
【図２】図１の車両用空気調和装置のコントローラの電気回路のブロック図である。
【図３】ΔＴＸＯと係数ＫΔＱの関係を説明する図である。
【図４】ΔＴＸＯと室外熱交換器の着霜率の関係を説明する図である。
【図５】ΔＱｈｐｍａｘ又はΔＱｈｐと室外熱交換器の着霜率の関係を説明する図である。
【図６】本発明を適用した他の実施例の車両用空気調和装置の構成図である。
【図７】本発明を適用したもう一つの他の実施例の車両用空気調和装置の構成図である。
【図８】本発明を適用した更にもう一つの他の実施例の車両用空気調和装置の構成図である。
【図９】本発明を適用した更にもう一つの他の実施例の車両用空気調和装置の構成図である。
【図１０】本発明を適用した更にもう一つの他の実施例の車両用空気調和装置の構成図である。
【図１１】ＴＸＯ又はＴｓと放熱器の暖房能力との関係を示す図である。
【発明を実施するための形態】
【００３７】
以下、本発明の実施の形態について、図面に基づき詳細に説明する。
【００３８】
図１は本発明の一実施例の車両用空気調和装置１の構成図を示している。本発明を適用する実施例の車両は、エンジン（内燃機関）が搭載されていない電気自動車（ＥＶ）であって、バッテリに充電された電力で走行用の電動モータを駆動して走行するものであり（何れも図示せず）、本発明の車両用空気調和装置１も、バッテリの電力で駆動されるものとする。即ち、実施例の車両用空気調和装置１は、エンジン廃熱による暖房ができない電気自動車において、冷媒回路を用いたヒートポンプ運転により暖房を行い、更に、除湿暖房や冷房除湿、冷房等の各運転モードを選択的に実行するものである。
【００３９】
尚、車両として電気自動車に限らず、エンジンと走行用の電動モータを供用する所謂ハイブリッド自動車にも本発明は有効であり、更には、エンジンで走行する通常の自動車にも適用可能であることは云うまでもない。
【００４０】
実施例の車両用空気調和装置１は、電気自動車の車室内の空調（暖房、冷房、除湿、及び、換気）を行うものであり、冷媒を圧縮する電動式の圧縮機２と、車室内空気が通気循環されるＨＶＡＣユニット１０の空気流通路３内に設けられ、圧縮機２から吐出された高温高圧の冷媒が冷媒配管１３Ｇを介して流入し、この冷媒を車室内に放熱させる放熱器４と、暖房時に冷媒を減圧膨張させる電動弁から成る室外膨張弁６と、冷房時には放熱器として機能し、暖房時には蒸発器として機能すべく冷媒と外気との間で熱交換を行わせる室外熱交換器７と、冷媒を減圧膨張させる電動弁から成る室内膨張弁８と、空気流通路３内に設けられて冷房時及び除湿時に車室内外から冷媒に吸熱させる吸熱器９と、吸熱器９における蒸発能力を調整する蒸発能力制御弁１１と、アキュムレータ１２等が冷媒配管１３により順次接続され、冷媒回路Ｒが構成されている。尚、室外熱交換器７には、室外送風機１５が設けられている。この室外送風機１５は、室外熱交換器７に外気を強制的に通風することにより、外気と冷媒とを熱交換させるものであり、これにより停車中（即ち、車速ＶＳＰが０ｋｍ／ｈ）にも室外熱交換器７に外気が通風されるよう構成されている。
【００４１】
また、室外熱交換器７は冷媒下流側にレシーバドライヤ部１４と過冷却部１６を順次有し、室外熱交換器７から出た冷媒配管１３Ａは冷房時に開放される電磁弁（開閉弁）１７を介してレシーバドライヤ部１４に接続され、過冷却部１６の出口が逆止弁１８を介して室内膨張弁８に接続されている。尚、レシーバドライヤ部１４及び過冷却部１６は構造的に室外熱交換器７の一部を構成しており、逆止弁１８は室内膨張弁８側が順方向とされている。
【００４２】
また、逆止弁１８と室内膨張弁８間の冷媒配管１３Ｂは、吸熱器９の出口側に位置する蒸発能力制御弁１１を出た冷媒配管１３Ｃと熱交換関係に設けられ、両者で内部熱交換器１９を構成している。これにより、冷媒配管１３Ｂを経て室内膨張弁８に流入する冷媒は、吸熱器９を出て蒸発能力制御弁１１を経た低温の冷媒により冷却（過冷却）される構成とされている。
【００４３】
また、室外熱交換器７から出た冷媒配管１３Ａは分岐しており、この分岐した冷媒配管１３Ｄは、暖房時に開放される電磁弁（開閉弁）２１を介して内部熱交換器１９の下流側における冷媒配管１３Ｃに連通接続されている。更に、放熱器４の出口側の冷媒配管１３Ｅは室外膨張弁６の手前で分岐しており、この分岐した冷媒配管１３Ｆは除湿時に開放される電磁弁（開閉弁）２２を介して逆止弁１８の下流側の冷媒配管１３Ｂに連通接続されている。
【００４４】
また、室外膨張弁６には並列にバイパス配管１３Ｊが接続されており、このバイパス配管１３Ｊには、冷房モードにおいて開放され、室外膨張弁６をバイパスして冷媒を流すための電磁弁（開閉弁）２０が介設されている。尚、これら室外膨張弁６及び電磁弁２０と室外熱交換器７との間の配管は１３Ｉとする。
【００４５】
また、吸熱器９の空気上流側における空気流通路３には、外気吸込口と内気吸込口の各吸込口が形成されており（図１では吸込口２５で代表して示す）、この吸込口２５には空気流通路３内に導入する空気を車室内の空気である内気（内気循環モード）と、車室外の空気である外気（外気導入モード）とに切り換える吸込切換ダンパ２６が設けられている。更に、この吸込切換ダンパ２６の空気下流側には、導入した内気や外気を空気流通路３に送給するための室内送風機（ブロワファン）２７が設けられている。
【００４６】
また、図１において２３は実施例の車両用空気調和装置１に設けられた熱媒体循環回路を示している。この熱媒体循環回路２３は循環手段を構成する循環ポンプ３０と、熱媒体加熱電気ヒータ（図面ではＥＣＨで示す）３５と、空気流通路３の空気の流れに対して、放熱器４の空気下流側となる空気流通路３内に設けられた熱媒体−空気熱交換器４０（本発明における補助加熱手段）とを備え、これらが熱媒体配管２３Ａにより順次環状に接続されている。尚、この熱媒体循環回路２３内で循環される熱媒体としては、例えば水、ＨＦＯ−１２３４ｙｆのような冷媒、クーラント等が採用される。
【００４７】
そして、循環ポンプ３０が運転され、熱媒体加熱電気ヒータ３５に通電されて発熱すると、この熱媒体加熱電気ヒータ３５により加熱された熱媒体が熱媒体−空気熱交換器４０に循環されるよう構成されている。即ち、この熱媒体循環回路２３の熱媒体−空気熱交換器４０が所謂ヒータコアとなり、車室内の暖房を補完する。係る熱媒体循環回路２３を採用することで、搭乗者の電気的な安全性を向上することができるようになる。
【００４８】
また、放熱器４の空気上流側における空気流通路３内には、内気や外気の放熱器４への流通度合いを調整するエアミックスダンパ２８が設けられている。更に、放熱器４の空気下流側における空気流通路３には、フット、ベント、デフの各吹出口（図１では代表して吹出口２９で示す）が形成されており、この吹出口２９には上記各吹出口から空気の吹き出しを切換制御する吹出口切換ダンパ３１が設けられている。
【００４９】
次に、図３において３２はマイクロコンピュータから構成された制御手段としてのコントローラ（ＥＣＵ）であり、このコントローラ３２の入力には車両の外気温度を検出する外気温度センサ３３と、外気湿度を検出する外気湿度センサ３４と、吸込口２５から空気流通路３に吸い込まれる空気の温度を検出するＨＶＡＣ吸込温度センサ３６と、車室内の空気（内気）の温度を検出する内気温度センサ３７と、車室内の空気の湿度を検出する内気湿度センサ３８と、車室内の二酸化炭素濃度を検出する室内ＣＯ2濃度センサ３９と、吹出口２９から車室内に吹き出される空気の温度を検出する吹出温度センサ４１と、圧縮機２の吐出冷媒圧力を検出する吐出圧力センサ４２と、圧縮機２の吐出冷媒温度を検出する吐出温度センサ４３と、圧縮機２の吸込冷媒圧力を検出する吸込圧力センサ４４と、放熱器４の温度（放熱器４を経た空気の温度、又は、放熱器４自体の温度）を検出する放熱器温度センサ４６と、放熱器４の冷媒圧力（放熱器４内、又は、放熱器４を出た直後の冷媒の圧力）を検出する放熱器圧力センサ４７と、吸熱器９の温度（吸熱器９を経た空気の温度、又は、吸熱器９自体の温度）を検出する吸熱器温度センサ４８と、吸熱器９の冷媒圧力（吸熱器９内、又は、吸熱器９を出た直後の冷媒の圧力）を検出する吸熱器圧力センサ４９と、車室内への日射量を検出するための例えばフォトセンサ式の日射センサ５１と、車両の移動速度（車速）を検出するための車速センサ５２と、設定温度や運転モードの切り換えを設定するための空調（エアコン）操作部５３と、室外熱交換器７の温度（室外熱交換器７から出た直後の冷媒の温度、又は、室外熱交換器７自体の温度）を検出する室外熱交換器温度センサ５４と、室外熱交換器７の冷媒圧力（室外熱交換器７内、又は、室外熱交換器７から出た直後の冷媒の圧力）を検出する室外熱交換器圧力センサ５６の各出力が接続されている。
【００５０】
また、コントローラ３２の入力には更に、熱媒体循環回路２３の熱媒体加熱電気ヒータ３５の温度（熱媒体加熱電気ヒータ３５で加熱された直後の熱媒体の温度、又は、熱媒体加熱電気ヒータ３５に内蔵された図示しない電気ヒータ自体の温度）を検出する熱媒体加熱電気ヒータ温度センサ５０と、熱媒体−空気熱交換器４０の温度（熱媒体−空気熱交換器４０を経た空気の温度、又は、熱媒体−空気熱交換器４０自体の温度）を検出する熱媒体−空気熱交換器温度センサ５５の各出力も接続されている。
【００５１】
一方、コントローラ３２の出力には、前記圧縮機２と、室外送風機１５と、室内送風機（ブロワファン）２７と、吸込切換ダンパ２６と、エアミックスダンパ２８と、吹出口ダンパ３１と、室外膨張弁６、室内膨張弁８と、各電磁弁２２、１７、２１、２０と、循環ポンプ３０と、熱媒体加熱電気ヒータ３５と、蒸発能力制御弁１１が接続されている。そして、コントローラ３２は各センサの出力と空調操作部５３にて入力された設定に基づいてこれらを制御する。
【００５２】
以上の構成で、次に実施例の車両用空気調和装置１の動作を説明する。コントローラ３２は実施例では大きく分けて暖房モードと、除湿暖房モードと、内部サイクルモードと、除湿冷房モードと、冷房モードの各運転モードを切り換えて実行する。先ず、各運転モードにおける冷媒の流れについて説明する。
【００５３】
（１）暖房モードの冷媒の流れ
コントローラ３２により或いは空調操作部５３へのマニュアル操作により暖房モードが選択されると、コントローラ３２は電磁弁２１を開放し、電磁弁１７、電磁弁２２及び電磁弁２０を閉じる。そして、圧縮機２、及び、各送風機１５、２７を運転し、エアミックスダンパ２８は室内送風機２７から吹き出された空気が放熱器４及び熱媒体−空気熱交換器４０に通風される状態とする。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化する。
【００５４】
放熱器４内で液化した冷媒は放熱器４を出た後、冷媒配管１３Ｅを経て室外膨張弁６に至る。尚、熱媒体循環回路２３の動作及び作用については後述する。室外膨張弁６に流入した冷媒はそこで減圧された後、室外熱交換器７に流入する。室外熱交換器７に流入した冷媒は蒸発し、走行により、或いは、室外送風機１５にて通風される外気中から熱を汲み上げる。即ち、冷媒回路Ｒがヒートポンプ（図面ではＨＰで示す）となる。そして、室外熱交換器７を出た低温の冷媒は冷媒配管１３Ａ及び電磁弁２１及び冷媒配管１３Ｄを経て冷媒配管１３Ｃからアキュムレータ１２に入り、そこで気液分離された後、ガス冷媒が圧縮機２に吸い込まれる循環を繰り返す。放熱器４にて加熱された空気は熱媒体−空気熱交換器４０を経て吹出口２９から吹き出されるので、これにより車室内の暖房が行われることになる。
【００５５】
コントローラ３２は吐出圧力センサ４２又は放熱器圧力センサ４７が検出する冷媒回路Ｒの高圧圧力に基づいて圧縮機２の回転数を制御すると共に、放熱器温度センサ４６が検出する放熱器４の温度及び放熱器圧力センサ４７が検出する放熱器４の冷媒圧力に基づいて室外膨張弁６の弁開度を制御し、放熱器４の出口における冷媒の過冷却度を制御する。
【００５６】
（２）除湿暖房モードの冷媒の流れ
次に、除湿暖房モードでは、コントローラ３２は上記暖房モードの状態において電磁弁２２を開放する。これにより、放熱器４を経て冷媒配管１３Ｅを流れる凝縮冷媒の一部が分流され、電磁弁２２を経て冷媒配管１３Ｆ及び１３Ｂより内部熱交換器１９を経て室内膨張弁８に至るようになる。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００５７】
吸熱器９で蒸発した冷媒は蒸発能力制御弁１１、内部熱交換器１９を経て冷媒配管１３Ｃにて冷媒配管１３Ｄからの冷媒と合流した後、アキュムレータ１２を経て圧縮機２に吸い込まれる循環を繰り返す。吸熱器９にて除湿された空気は放熱器４を通過する過程で再加熱されるので、これにより車室内の除湿暖房が行われることになる。コントローラ３２は吐出圧力センサ４２又は放熱器圧力センサ４７が検出する冷媒回路Ｒの高圧圧力に基づいて圧縮機２の回転数を制御すると共に、吸熱器温度センサ４８が検出する吸熱器９の温度に基づいて室外膨張弁６の弁開度を制御する。
【００５８】
（３）内部サイクルモードの冷媒の流れ
次に、内部サイクルモードでは、コントローラ３２は上記除湿暖房モードの状態において室外膨張弁６を全閉とする（全閉位置）と共に、電磁弁２０、２１も閉じる。この室外膨張弁６と電磁弁２０、２１が閉じられることにより、室外熱交換器７への冷媒の流入、及び、室外熱交換器７からの冷媒の流出は阻止されることになるので、放熱器４を経て冷媒配管１３Ｅを流れる凝縮冷媒は電磁弁２２を経て冷媒配管１３Ｆに全て流れるようになる。そして、冷媒配管１３Ｆを流れる冷媒は冷媒配管１３Ｂより内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００５９】
吸熱器９で蒸発した冷媒は蒸発能力制御弁１１、内部熱交換器１９を経て冷媒配管１３Ｃを流れ、アキュムレータ１２を経て圧縮機２に吸い込まれる循環を繰り返す。吸熱器９にて除湿された空気は放熱器４を通過する過程で再加熱されるので、これにより車室内の除湿暖房が行われることになるが、この内部サイクルモードでは室内側の空気流通路３内にある放熱器４（放熱）と吸熱器９（吸熱）の間で冷媒が循環されることになるので、外気からの熱の汲み上げは行われず、圧縮機２の消費動力分の暖房能力が発揮される。除湿作用を発揮する吸熱器９には冷媒の全量が流れるので、上記除湿暖房モードに比較すると除湿能力は高いが、暖房能力は低くなる。
【００６０】
コントローラ３２は吸熱器９の温度、又は、前述した冷媒回路Ｒの高圧圧力に基づいて圧縮機２の回転数を制御する。このとき、コントローラ３２は吸熱器９の温度によるか高圧圧力によるか、何れかの演算から得られる圧縮機目標回転数の低い方を選択して圧縮機２を制御する。
【００６１】
（４）除湿冷房モードの冷媒の流れ
次に、除湿冷房モードでは、コントローラ３２は電磁弁１７を開放し、電磁弁２１、電磁弁２２及び電磁弁２０を閉じる。そして、圧縮機２、及び、各送風機１５、２７を運転し、エアミックスダンパ２８は室内送風機２７から吹き出された空気が放熱器４及び熱媒体−空気熱交換器４０に通風される状態とする。これにより、圧縮機２から吐出された高温高圧のガス冷媒は放熱器４に流入する。放熱器４には空気流通路３内の空気が通風されるので、空気流通路３内の空気は放熱器４内の高温冷媒により加熱され、一方、放熱器４内の冷媒は空気に熱を奪われて冷却され、凝縮液化していく。
【００６２】
放熱器４を出た冷媒は冷媒配管１３Ｅを経て室外膨張弁６に至り、開き気味で制御される室外膨張弁６を経て室外熱交換器７に流入する。室外熱交換器７に流入した冷媒はそこで走行により、或いは、室外送風機１５にて通風される外気により空冷され、凝縮する。室外熱交換器７を出た冷媒は冷媒配管１３Ａから電磁弁１７を経てレシーバドライヤ部１４、過冷却部１６と順次流入する。ここで冷媒は過冷却される。
【００６３】
室外熱交換器７の過冷却部１６を出た冷媒は逆止弁１８を経て冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却され、且つ、除湿される。
【００６４】
吸熱器９で蒸発した冷媒は蒸発能力制御弁１１、内部熱交換器１９を経て冷媒配管１３Ｃを介し、アキュムレータ１２に至り、そこを経て圧縮機２に吸い込まれる循環を繰り返す。吸熱器９にて冷却され、除湿された空気は放熱器４を通過する過程で再加熱（暖房時よりも放熱能力は低い）されるので、これにより車室内の除湿冷房が行われることになる。コントローラ３２は吸熱器温度センサ４８が検出する吸熱器９の温度に基づいて圧縮機２の回転数を制御すると共に、前述した冷媒回路Ｒの高圧圧力に基づいて室外膨張弁６の弁開度を制御し、放熱器４の冷媒圧力（放熱器圧力ＰＣＩ）を制御する。
【００６５】
（５）冷房モードの冷媒の流れ
次に、冷房モードでは、コントローラ３２は上記除湿冷房モードの状態において電磁弁２０を開き（この場合、室外膨張弁６は全開（弁開度を制御上限）を含む何れの弁開度でもよい）、エアミックスダンパ２８は放熱器４及び熱媒体−空気熱交換器４０に空気が通風されない状態とする。これにより、圧縮機２から吐出された高温高圧のガス冷媒は放熱器４に流入する。放熱器４には空気流通路３内の空気は通風されないので、ここは通過するのみとなり、放熱器４を出た冷媒は冷媒配管１３Ｅを経て電磁弁２０及び室外膨張弁６に至る。
【００６６】
このとき電磁弁２０は開放されているので冷媒は室外膨張弁６を迂回してバイパス配管１３Ｊを通過し、そのまま室外熱交換器７に流入し、そこで走行により、或いは、室外送風機１５にて通風される外気により空冷され、凝縮液化する。室外熱交換器７を出た冷媒は冷媒配管１３Ａから電磁弁１７を経てレシーバドライヤ部１４、過冷却部１６と順次流入する。ここで冷媒は過冷却される。
【００６７】
室外熱交換器７の過冷却部１６を出た冷媒は逆止弁１８を経て冷媒配管１３Ｂに入り、内部熱交換器１９を経て室内膨張弁８に至る。室内膨張弁８にて冷媒は減圧された後、吸熱器９に流入して蒸発する。このときの吸熱作用で室内送風機２７から吹き出された空気中の水分が吸熱器９に凝結して付着するので、空気は冷却される。
【００６８】
吸熱器９で蒸発した冷媒は蒸発能力制御弁１１、内部熱交換器１９を経て冷媒配管１３Ｃを介し、アキュムレータ１２に至り、そこを経て圧縮機２に吸い込まれる循環を繰り返す。吸熱器９にて冷却され、除湿された空気は放熱器４を通過すること無く吹出口２９から車室内に吹き出されるので、これにより車室内の冷房が行われることになる。この冷房モードにおいては、コントローラ３２は吸熱器温度センサ４８が検出する吸熱器９の温度に基づいて圧縮機２の回転数を制御する。
【００６９】
（６）暖房モード及び当該暖房モードでの熱媒体循環回路による補助加熱
次に、前記暖房モードにおける圧縮機２及び室外膨張弁６の制御と、当該暖房モードでの熱媒体循環回路２３による補助加熱について説明する。
【００７０】
（６−１）圧縮機及び室外膨張弁の制御
コントローラ３２は下記式（Ｉ）から目標吹出温度ＴＡＯを算出する。この目標吹出温度ＴＡＯは、吹出口２９から車室内に吹き出される空気温度の目標値である。
ＴＡＯ＝（Ｔｓｅｔ−Ｔｉｎ）×Ｋ＋Ｔｂａｌ（ｆ（Ｔｓｅｔ、ＳＵＮ、Ｔａｍ））
・・（Ｉ）
ここで、Ｔｓｅｔは空調操作部５３で設定された車室内の設定温度、Ｔｉｎは内気温度センサ３７が検出する車室内空気の温度、Ｋは係数、Ｔｂａｌは設定温度Ｔｓｅｔや、日射センサ５１が検出する日射量ＳＵＮ、外気温度センサ３３が検出する外気温度Ｔａｍから算出されるバランス値である。そして、一般的に、この目標吹出温度ＴＡＯは外気温度Ｔａｍが低い程高く、外気温度Ｔａｍが上昇するに伴って低下する。
【００７１】
コントローラ３２はこの目標吹出温度ＴＡＯから目標放熱器温度ＴＣＯを算出し、次に、この目標放熱器温度ＴＣＯに基づき、目標放熱器圧力ＰＣＯを算出する。そして、この目標放熱器圧力ＰＣＯと、放熱器圧力センサ４７が検出する放熱器４の冷媒圧力（放熱器圧力）Ｐｃｉとに基づき、コントローラ３２は圧縮機２の回転数Ｎｃを算出し、この回転数Ｎｃにて圧縮機２を運転する。即ち、コントローラ３２は圧縮機２の回転数Ｎｃにより放熱器４の冷媒圧力Ｐｃｉを制御する。
【００７２】
また、コントローラ３２は目標吹出温度ＴＡＯに基づき、放熱器４の目標放熱器過冷却度ＴＧＳＣを算出する。一方、コントローラ３２は、放熱器圧力Ｐｃｉと放熱器温度センサ４６が検出する放熱器４の温度（放熱器温度Ｔｃｉ）に基づき、放熱器４における冷媒の過冷却度（放熱器過冷却度ＳＣ）を算出する。そして、この放熱器過冷却度ＳＣと目標放熱器過冷却度ＴＧＳＣに基づき、室外膨張弁６の目標弁開度（目標室外膨張弁開度ＴＧＥＣＣＶ）を算出する。そして、コントローラ３２はこの目標室外膨張弁開度ＴＧＥＣＣＶに室外膨張弁６の弁開度を制御する。
【００７３】
コントローラ３２は目標吹出温度ＴＡＯが高い程、目標放熱器過冷却度ＴＧＳＣを上げる方向に演算を行うが、それに限らず、後述する要求暖房能力ＴＧＱと最大暖房能力Ｑｈｐｍａｘの差（能力差）や放熱器圧力Ｐｃｉ、目標放熱器圧力ＰＣＯと放熱器圧力Ｐｃｉの差（圧力差）に基づいて算出してもよい。その場合コントローラ３２は、能力差が小さい程、圧力差が小さい程、室内送風機２７の風量が小さい程、又は、放熱器圧力Ｐｃｉが小さい程、目標放熱器過冷却度ＴＧＳＣを下げることになる。
【００７４】
（６−２）熱媒体循環回路の制御１
また、コントローラ３２は、この暖房モードにおいて放熱器４による暖房能力が不足すると判断した場合、熱媒体加熱電気ヒータ３５に通電して発熱させ、循環ポンプ３０を運転することにより、熱媒体循環回路２３の熱媒体−空気熱交換器４０による加熱を実行する。
【００７５】
熱媒体循環回路２３の循環ポンプ３０が運転され、熱媒体加熱電気ヒータ３５に通電されると、前述したように熱媒体加熱電気ヒータ３５により加熱された熱媒体（高温の熱媒体）が熱媒体−空気熱交換器４０に循環されるので、空気流通路３の放熱器４を経た空気を加熱することになる。従って、暖房モードでは熱媒体−空気熱交換器４０を出て吹出口２９から吹き出される空気の温度の目標値が目標放熱器温度ＴＣＯとなる。
【００７６】
次に、暖房モードにおける熱媒体循環回路２３の制御について説明する。コントローラ３２は式（ＩＩ）、式（ＩＩＩ）、式（ＩＶ）を用いて要求される放熱器４の暖房能力である要求暖房能力ＴＧＱ（ｋＷ）と、放熱器４が発生可能な最大暖房能力Ｑｈｐｍａｘ（ｋＷ）と、放熱器４が実際に発生する実暖房能力Ｑｈｐ（ｋＷ）を算出する。最大暖房能力Ｑｈｐｍａｘは、そのときの外気温度Ｔａｍにおいて放熱器４が発生可能な最大の暖房能力の予測値である（即ち、ヒートポンプの推定最大暖房能力）。また、実暖房能力Ｑｈｐは、そのときの外気温度Ｔａｍと圧縮機２の回転数Ｎｃで放熱器４が実際に発生する暖房能力の予測値である。
【００７７】
ＴＧＱ＝（ＴＣＯ−Ｔｅ）×Ｃａ×ρ×Ｑａｉｒ    ・・（ＩＩ）
Ｑｈｐｍａｘ＝ｋＱｈｐｅｓｔ１×Ｇａ＋ｋＱｈｐｅｓｔ２×Ｔａｍ＋ｋＱｈｐｅｓｔ３×Ｎｃｍａｘ＋ｋＱｈｐｅｓｔ４    ・・（ＩＩＩ）
Ｑｈｐ＝ｋＱｈｐｅｓｔ１×Ｇａ＋ｋＱｈｐｅｓｔ２×Ｔａｍ＋ｋＱｈｐｅｓｔ３×Ｎｃ＋ｋＱｈｐｅｓｔ４    ・・（ＩＶ）
【００７８】
尚、Ｔｅは吸熱器温度センサ４８が検出する吸熱器９の温度、Ｃａは放熱器４に流入する空気の比熱［ｋＪ／ｍ3・Ｋ］、ρは放熱器４に流入する空気の密度（比体積）［ｋｇ／ｍ3］、Ｑａｉｒは放熱器４を通過する風量［ｍ3／ｈ］（室内送風機２７のブロワ電圧ＢＬＶ等から推定）、Ｇａは放熱器４を通過する空気の風量（ｍ3／ｓ）、Ｎｃｍａｘは圧縮機２の上限回転数、Ｎｃは圧縮機２の回転数（実回転数）である。また、式（ＩＩＩ）、（ＩＶ）におけるｋＱｈｐｅｓｔ１、ｋＱｈｐｅｓｔ２、ｋＱｈｐｅｓｔ３、ｋＱｈｐｅｓｔ４は、実測から予め得られた係数である。
【００７９】
次に、コントローラ３２は、式（Ｖ）を用いて要求暖房能力ＴＧＱと放熱器４の最大暖房能力Ｑｈｐｍａｘとの差を算出し、これを熱媒体循環回路２３（補助加熱手段である熱媒体−空気熱交換器４０を含む。以下、同じ）の要求暖房能力の推定値ＴＧＱｈｔｒ０を算出する。また、コントローラ３２は、式（ＶＩ）を用いて放熱器４の最大暖房能力Ｑｈｐｍａｘと実暖房能力Ｑｈｐとの差を算出して熱媒体循環回路２３の要求暖房能力の補正値ＴＧＱｈｔｒｈを算出する。
ＴＧＱｈｔｒ０＝ＴＧＱ−Ｑｈｐｍａｘ    ・・（Ｖ）
ＴＧＱｈｔｒｈ＝Ｑｈｐｍａｘ−Ｑｈｐ    ・・（ＶＩ）
【００８０】
そして、コントローラ３２は、式（ＶＩＩ）で要求暖房能力の推定値ＴＧＱｈｔｒ０に補正値ＴＧＱｈｔｒｈを加えることで、熱媒体循環回路２３の要求暖房能力ＴＧＱｈｔｒを算出する。
ＴＧＱｈｔｒ＝ＴＧＱｔｈｒ０＋ＴＧＱｈｔｒｈ    ・・（ＶＩＩ）
この式（ＶＩＩ）の右辺は式（Ｖ）の右辺と式（ＶＩ）の右辺の和であるので、要求暖房能力ＴＧＱｈｔｒは、放熱器４の要求暖房能力ＴＧＱと放熱器４の実暖房能力Ｑｈｐとの差（ＴＧＱ−Ｑｈｐ）ということになる。この放熱器４の要求暖房能力ＴＧＱと実暖房能力Ｑｈｐとの差（ＴＧＱ−Ｑｈｐ）は、放熱器４の要求暖房能力ＴＧＱに対して実暖房能力Ｑｈｐが不足する分であり、コントローラ３２これを補完する暖房能力として、先ず熱媒体循環回路２３の要求暖房能力ＴＧＱｈｔｒを算出する。
【００８１】
次に、コントローラ３２は室外熱交換器温度センサ５４から得られる室外熱交換器７の現在の冷媒蒸発温度ＴＸＯと、外気が低湿環境で室外熱交換器７に着霜していない無着霜時における当該室外熱交換器７の冷媒蒸発温度ＴＸＯｂａｓｅとに基づき、室外熱交換器７の着霜による放熱器４の実暖房能力Ｑｈｐの低下量ΔＱｈｐと最大暖房能力Ｑｈｐｍａｘの低下量ΔＱｈｐｍａｘを算出する。この場合のコントローラ３２は、無着霜時における室外熱交換器７の冷媒蒸発温度ＴＸＯｂａｓｅを、次式（ＶＩＩＩ）を用いて決定する。
【００８２】
ＴＸＯｂａｓｅ＝ｆ（Ｔａｍ、Ｎｃ、ＢＬＶ、ＶＳＰ）
＝ｋ５×Ｔａｍ＋ｋ６×Ｎｃ＋ｋ７×ＢＬＶ＋ｋ８×ＶＳＰ・・（ＶＩＩＩ）
ここで、式（ＶＩＩＩ）のパラメータであるＴａｍは前述同様に外気温度センサ３３から得られる外気温度、Ｎｃは圧縮機２の回転数、ＢＬＶは室内送風機２７のブロワ電圧、ＶＳＰは車速センサ５２から得られる車速であり、ｋ５〜ｋ８は係数で、予め実験により求めておく。
【００８３】
この場合、外気温度Ｔａｍ（室外熱交換器７の吸込空気温度）が低くなる程、ＴＸＯｂａｓｅは低くなる傾向となる。従って、係数ｋ５は正の値となる。また、圧縮機２の回転数Ｎｃが高い程（冷媒流量が多い程）、ＴＸＯｂａｓｅは低くなる傾向となる。従って、係数ｋ６は負の値となる。また、ブロワ電圧ＢＬＶが高い程（放熱器４の通過風量が大きい程）、ＴＸＯｂａｓｅは低くなる傾向となる。従って、係数ｋ７は負の値となる。また、車速ＶＳＰが低い程（室外熱交換器７の通過風速が低い程）、ＴＸＯｂａｓｅは低くなる傾向となる。従って、係数ｋ８は正の値となる。
【００８４】
次にコントローラ３２は、式（ＶＩＩＩ）に現在の各パラメータの値を代入することで得られる無着霜時における冷媒蒸発温度ＴＸＯｂａｓｅと現在の冷媒蒸発温度ＴＸＯとの差ΔＴＸＯ（ΔＴＸＯ＝ＴＸＯｂａｓｅ−ＴＸＯ）を算出し、この差ΔＴＸＯに相関のある係数ＫΔＱを用い、式（ＩＸ）と式（Ｘ）の如く室外熱交換器７の着霜によって低下した放熱器４の暖房能力Ｑｈｐｈと低下した最大暖房能力Ｑｈｐｍａｘｈを算出する。
Ｑｈｐｈ＝ＫΔＱ×Ｑｈｐ              ・・（ＩＸ）
Ｑｈｐｍａｘｈ＝ＫΔＱ×Ｑｈｐｍａｘ  ・・（Ｘ）
【００８５】
ここで、上記差ΔＴＸＯと係数ＫΔＱとの関係を図３に示す。室外熱交換器７への着霜の進行により冷媒蒸発温度ＴＸＯは低下するので、差ΔＴＸＯが大きい程、室外熱交換器７の着霜率は大きくなり、放熱器４の暖房能力は低下することになる。図３に示した差ΔＴＸＯと係数ＫΔＱの関係は、実測により予め求めたものであり、差ΔＴＸＯが大きくなる程、即ち、室外熱交換器７の着霜率が大きくなる程、係数ＫΔＱは小さくなってＱｈｐｈ、及び、Ｑｈｐｍａｘｈは小さくなる。
【００８６】
そして、式（ＸＩ）と式（ＸＩＩ）を用いて室外熱交換器７の着霜による放熱器４の実暖房能力Ｑｈｐの低下量ΔＱｈｐと最大暖房能力Ｑｈｐｍａｘの低下量ΔＱｈｐｍａｘを算出する。
ΔＱｈｐ＝Ｑｈｐ−Ｑｈｐｈ                    ・・（ＸＩ）
ΔＱｈｐｍａｘ＝Ｑｈｐｍａｘ−Ｑｈｐｍａｘｈ  ・・（ＸＩＩ）
【００８７】
前述した如く、室外熱交換器７の着霜によって放熱器４の実暖房能力Ｑｈｐは低下する。従って、室外熱交換器７に着霜が生じたとき、前述したように式（ＶＩＩ）から得られるＴＧＱｈｔｒ＝ＴＧＱ−Ｑｈｐで熱媒体循環回路２３による加熱を制御しても、上記低下量ΔＱｈｐ分の暖房能力が不足することになる。
【００８８】
そこで、コントローラ３２は上記式（ＶＩＩ）で算出された熱媒体循環回路２３の要求暖房能力ＴＧＱｈｔｒに放熱器４の暖房能力の低下量ΔＱｈｐを加えて、熱媒体−空気熱交換器４０（補助加熱手段）の暖房能力が（ＴＧＱｈｔｒ＋ΔＱｈｐ）となるようにＴＧＱｈｔｒを補正し、熱媒体循環回路２３の熱媒体加熱電気ヒータ３５への通電と循環ポンプ３０の運転を制御する。
【００８９】
このように本発明によれば、放熱器４の要求暖房能力ＴＧＱに対して放熱器４の実暖房能力Ｑｈｐが不足する場合に、熱媒体循環回路２３の熱媒体−空気熱交換器４０により車室内に供給する空気を加熱して暖房能力を補完することができるようになり、快適な車室内暖房を実現することが可能となる。
【００９０】
また、放熱器４による暖房能力が不足している状況下で熱媒体循環回路２３の熱媒体−空気熱交換器４０による加熱を実行するので、熱媒体循環回路２３による加熱に伴う効率の悪化も最小限に抑えることが可能となる。これにより、特に電気自動車においては航続距離が低下する不都合を効果的に抑制することが可能となる。
【００９１】
特にコントローラ３２は、室外熱交換器７の着霜による実暖房能力Ｑｈｐの低下量ΔＱｈｐを算出し、熱媒体循環回路２３の要求暖房能力ＴＧＱｈｔｒに低下量ΔＱｈｐを加えて熱媒体循環回路２３の熱媒体−空気熱交換器４０による加熱を実行するので、室外熱交換器７に着霜が生じて実暖房能力Ｑｈｐが低下している場合に、その低下量ΔＱｈｐも熱媒体循環回路２３により補完することができるようになり、快適さをより一層向上させることができるようになる。
【００９２】
この場合、コントローラ３２は室外熱交換器７の冷媒蒸発温度ＴＸＯと、無着霜時における当該室外熱交換器７の冷媒蒸発温度ＴＸＯｂａｓｅとの差ΔＴＸＯに基づいて室外熱交換器７の着霜による実暖房能力Ｑｈｐの低下量ΔＱｈｐを算出するので、精度良く低下量ΔＱｈｐを算出して熱媒体循環回路２３の制御を的確に実行することが可能となる。
【００９３】
尚、上記実施例の式（ＩＶ）では、放熱器４を通過する空気の風量Ｇａと、外気温度Ｔａｍ、及び、圧縮機２の回転数（実回転数）Ｎｃに基づいて放熱器４が実際に発生する暖房能力の予測値である実暖房能力Ｑｈｐを算出したが、下記式（ＸＩＩＩ）を用いて実暖房能力Ｑｈｐを算出するようにしてもよい。
【００９４】
Ｑｈｐ＝（ＴＨｏｕｔ−ＴＨｉｎ）×Ｃａ×Ｇａ  ・・（ＸＩＩＩ）
尚、ＴＨｏｕｔは放熱器４を通過した後の空気温度（℃）、ＴＨｉｎは放熱器４を通過する前の空気温度、即ち、放熱器４の吸込空気温度（℃）である。これらの差（ＴＨｏｕｔ−ＴＨｉｎ）は、放熱器４を通過することで生じた空気の温度上昇であり、これに比熱Ｃａと風量Ｇａを乗算することでも、放熱器４の実暖房能力Ｑｈｐを算出することができる。
【００９５】
（６−３）熱媒体循環回路の制御２
ここで、室外熱交換器７の着霜が増大すると、冷媒回路Ｒの圧縮機２を運転しても外気からの吸熱（ヒートポンプ）ができなくなると共に、運転効率も著しく低下する。そこで、コントローラ３２は前述した無着霜時における室外熱交換器７の冷媒蒸発温度ＴＸＯｂａｓｅと現在の冷媒蒸発温度ＴＸＯとの差ΔＴＸＯ（ΔＴＸＯ＝ＴＸＯｂａｓｅ−ＴＸＯ）に基づいて室外熱交換器７の着霜率を算出し、この着霜率が所定値以上となった場合に冷媒回路Ｒの圧縮機２を停止する。
【００９６】
図４はこの差ΔＴＸＯから室外熱交換器７の着霜率を判定するときの、差ΔＴＸＯと着霜率の関係を示している。コントローラ３２は差ΔＴＸＯが０のときは着霜率０と判定する。この状態から差ΔＴＸＯが１０（ｄｅｇ）まで上昇するに従って所定の傾斜角度で着霜率は１００％まで上昇する。コントローラ３２は、実施例では着霜率が所定値（例えば、１００％）となった場合に、圧縮機２を停止する。そして、熱媒体循環回路２３の熱媒体−空気熱交換器４０が要求暖房能力ＴＧＱを発生するように熱媒体加熱電気ヒータ３５や循環ポンプ３０を運転する（ＴＧＱｈｔｒ＝ＴＧＱ）。
【００９７】
そして、ΔＴＸＯが低下して９（ｄｅｇ）を下回ったところで、そこから−１（ｄｅｇ）に低下するに従って所定の傾斜角度で着霜率も０まで低下する（ヒステリシス１ｄｅｇ）。コントローラ３２は、着霜率が所定値（例えば、１００％）を下回ったところで圧縮機２の起動禁止を解除し、再び冷媒回路Ｒの放熱器４と熱媒体循環回路２３による暖房モードに復帰する。
【００９８】
このように、室外熱交換器７への着霜の進行度合いを差ΔＴＸＯから把握して着霜が進行してしまった場合には、熱媒体循環回路２３の熱媒体−空気熱交換器４０のみによる車室内暖房に切り換えるので、冷媒回路Ｒの室外熱交換器７のそれ以上の着霜の成長を防止し、或いは、着霜の融解を促進しながら、熱媒体循環回路２３により車室内の暖房も引き続き行うことが可能となる。
【００９９】
（６−４）熱媒体循環回路の制御３
次に、図５は係る圧縮機２の停止制御の他の例を示している。上記実施例（６−３）では差ＴＸＯで室外熱交換器７の着霜率を算出するようにしたが、それに限らず、前述した放熱器４の最大暖房能力Ｑｈｐｍａｘの低下量ΔＱｈｐｍａｘ、或いは、実暖房能力Ｑｈｐの低下量ΔＱｈｐに基づいて室外熱交換器７の着霜率を算出し、この着霜率が所定値以上となった場合に冷媒回路Ｒの圧縮機２を停止するようにしてもよい。
【０１００】
図５はこれら低下量ΔＱｈｐｍａｘ、ΔＱｈｐから室外熱交換器７の着霜率を判定するときの、低下量ΔＱｈｐｍａｘ、ΔＱｈｐと着霜率の関係を示している。コントローラ３２は低下量ΔＱｈｐｍａｘ、ΔＱｈｐが０のときは着霜率０と判定する。この状態から低下量ΔＱｈｐｍａｘ、ΔＱｈｐが１０００（Ｗ）まで上昇するに従って所定の傾斜角度で着霜率は１００％まで上昇する。コントローラ３２は、実施例では着霜率が所定値（例えば、１００％）となった場合に、圧縮機２を停止する。そして、熱媒体循環回路２３の熱媒体−空気熱交換器４０が要求暖房能力ＴＧＱを発生するように熱媒体加熱電気ヒータ３５や循環ポンプ３０を運転する（ＴＧＱｈｔｒ＝ＴＧＱ）。
【０１０１】
そして、低下量ΔＱｈｐｍａｘ、ΔＱｈｐが低下して９００（Ｗ）を下回ったところで、そこから−１００（Ｗ）に低下するに従って所定の傾斜角度で着霜率も０まで低下する（ヒステリシス１００Ｗ）。コントローラ３２は、着霜率が所定値（例えば、１００％）を下回ったところで圧縮機２の起動禁止を解除し、再び冷媒回路Ｒの放熱器４と熱媒体循環回路２３による暖房モードに復帰する。
【０１０２】
このように、室外熱交換器７への着霜の進行度合いを放熱器４の最大暖房能力Ｑｈｐｍａｘの低下量ΔＱｈｐｍａｘや、実暖房能力Ｑｈｐの低下量ΔＱｈｐから把握して着霜が進行してしまった場合には、熱媒体循環回路２３の熱媒体−空気熱交換器４０のみによる車室内暖房に切り換えるようにしても、冷媒回路Ｒの室外熱交換器７のそれ以上の着霜の成長を防止し、或いは、着霜の融解を促進しながら、熱媒体循環回路２３により車室内の暖房も引き続き行うことが可能となる。
【０１０３】
（６−５）熱媒体循環回路の制御４
尚、上記各実施例では差ΔＴＸＯや放熱器４の最大暖房能力Ｑｈｐｍａｘの低下量ΔＱｈｐｍａｘ、実暖房能力Ｑｈｐの低下量ΔＱｈｐから室外熱交換器７の着霜率を推定して圧縮機２を停止するようにしたが、それに限らず、放熱器４の最大暖房能力Ｑｈｐｍａｘの低下量ΔＱｈｐｍａｘ、実暖房能力Ｑｈｐの低下量ΔＱｈｐから室外熱交換器７の着霜度合いを直接判断し、各低下量ΔＱｈｐｍａｘ、又は、ΔＱｈｐが所定値以上となった場合に、室外熱交換器７の着霜が進行してしまったものと判断して、圧縮機２を停止するようにしてもよい。
【０１０４】
（７）他の構成例１
次に、図６は本発明の車両用空気調和装置１の他の構成図を示している。この実施例では、室外熱交換器７にレシーバドライヤ部１４と過冷却部１６が設けられておらず、室外熱交換器７から出た冷媒配管１３Ａは電磁弁１７と逆止弁１８を介して冷媒配管１３Ｂに接続されている。また、冷媒配管１３Ａから分岐した冷媒配管１３Ｄは、同様に電磁弁２１を介して内部熱交換器１９の下流側における冷媒配管１３Ｃに接続されている。
【０１０５】
その他は、図１の例と同様である。このようにレシーバドライヤ部１４と過冷却部１６を有しない室外熱交換器７を採用した冷媒回路Ｒの車両用空気調和装置１においても本発明は有効である。
【０１０６】
（８）他の構成例２
次に、図７は本発明の車両用空気調和装置１のもう一つの他の構成図を示している。この場合、図６の熱媒体循環回路２３が電気ヒータ７３に置換されている。前述した熱媒体循環回路２３の場合には、熱媒体加熱電気ヒータ３５を空気流通路３の外の車室外に設けられるため、電気的な安全性が確保されるが、構成が複雑化する。
【０１０７】
一方、この図７の如く電気ヒータ７３を空気流通路３に設けるようにすれば、構成が著しく簡素化されることになる。この場合は、電気ヒータ７３が補助加熱手段となってコントローラ３２により前述した制御が実施されることなる。そして、このような電気ヒータ７３を採用した冷媒回路Ｒの車両用空気調和装置１においても本発明は有効である。
【０１０８】
（９）他の構成例３
次に、図８は本発明の車両用空気調和装置１のもう一つの他の構成図を示している。尚、この実施例の冷媒回路Ｒは図６と同様である。但し、この場合、熱媒体循環回路２３の熱媒体−空気熱交換器４０は、空気流通路３の空気の流れに対して放熱器４の上流側であってエアミックスダンパ２８の下流側に配置されている。他の構成は図６と同様である。
【０１０９】
この場合には空気流通路３において熱媒体−空気熱交換器４０が放熱器４の上流側に位置するため、熱媒体循環回路２３の動作中、空気は熱媒体−空気熱交換器４０で加熱された後、放熱器４に流入するようになる。このように熱媒体−空気熱交換器４０を放熱器４の上流側に配置した車両用空気調和装置１においても本発明は有効であり、特にこの場合には熱媒体循環回路２３内の熱媒体の温度が低いことによる問題は生じなくなる。これにより、放熱器４との協調暖房も容易となるが、熱媒体−空気熱交換器４０を経た空気が放熱器４に流入することになるため、前述した放熱器４の最大暖房能力Ｑｈｐｍａｘと実暖房能力Ｑｈｐの算出式（ＩＩＩ）、（ＩＶ）に、放熱器４の吸込空気温度ＴＨｉｎに所定の係数ｋＯｈｐｅｓｔ５（これも実測から予め得られた係数）を乗じた値を加える。
【０１１０】
この放熱器４の吸込空気温度ＴＨｉｎは、熱媒体−空気熱交換器温度センサ５５が検出する熱媒体−空気熱交換器４０を経た空気の温度である。このように、熱媒体循環回路２３の熱媒体−空気熱交換器４０が、放熱器４と共に空気流通路３の空気の流れに対して当該放熱器４の上流側に配置される場合、コントローラ３２が、放熱器４の吸込空気温度ＴＨｉｎを加味して最大暖房能力Ｑｈｐｍａｘ及び実暖房能力Ｑｈｐを算出するようにすることにより、熱媒体−空気熱交換器４０により加熱された空気が放熱器４に流入する場合に、それに伴う熱量の変化分を加味して正確に放熱器４の最大暖房能力Ｑｈｐｍａｘや実暖房能力Ｑｈｐを算出することが可能となる。
【０１１１】
（１０）他の構成例４
次に、図９は本発明の車両用空気調和装置１のもう一つの他の構成図を示している。この場合、図８の熱媒体循環回路２３が電気ヒータ７３に置換されている。このような電気ヒータ７３を採用した冷媒回路Ｒの車両用空気調和装置１においても本発明は有効である。
【０１１２】
（１１）他の構成例５
次に、図１０は本発明の車両用空気調和装置１の更にもう一つの他の構成図を示している。この実施例の冷媒回路Ｒ及び熱媒体循環回路２３（補助加熱手段）の配管構成は図１の場合と基本的に同様であるが、放熱器４は空気流通路３には設けられておらず、その外側に配置されている。その代わりに、この放熱器４にはこの場合の熱媒体−冷媒熱交換器７４が熱交換関係に配設されている。
【０１１３】
この熱媒体−冷媒熱交換器７４は、熱媒体循環回路２３の循環ポンプ３０と熱媒体加熱電気ヒータ３５の間の熱媒体配管２３Ａに接続されたもので、熱媒体循環回路２３の熱媒体−空気熱交換器４０は空気流通路３に設けられている。係る構成で、循環ポンプ３０から吐出された熱媒体は放熱器４を流れる冷媒と熱交換し、当該冷媒により加熱され、次に、熱媒体加熱電気ヒータ３５（通電されて発熱している場合）で加熱された後、熱媒体−空気熱交換器４０で放熱することにより、空気流通路３から車室内に供給される空気を加熱する。
【０１１４】
このような構成の車両用空気調和装置１においても、放熱器４による暖房能力が不足する場合に、熱媒体加熱電気ヒータ３５に通電して熱媒体回路２３Ａ内を流れる熱媒体を加熱することにより、暖房補助を行うことが可能となると共に、前述したような電気ヒータを空気流通路３に配設する場合に比して、電気的により安全な車室内暖房を実現することができるようになる。
【０１１５】
尚、実施例では暖房モード、除湿暖房モード、除湿冷房モード、冷房モードの各運転モードを切り換えて実行する車両用空気調和装置１について本発明を適用したが、それに限らず、暖房モードのみ行うものにも本発明は有効である。
【０１１６】
また、上記各実施例で説明した冷媒回路Ｒの構成や各数値はそれに限定されるものでは無く、本発明の趣旨を逸脱しない範囲で変更可能であることは云うまでもない。
【符号の説明】
【０１１７】
１  車両用空気調和装置
２  圧縮機
３  空気流通路
４  放熱器
６  室外膨張弁
７  室外熱交換器
８  室内膨張弁
９  吸熱器
１１  蒸発能力制御弁
１７、２０、２１、２２  電磁弁
２３  熱媒体循環回路（補助加熱手段）
２６  吸込切換ダンパ
２７  室内送風機（ブロワファン）
２８  エアミックスダンパ
３０  循環ポンプ（循環手段）
３２  コントローラ（制御手段）
３５  熱媒体加熱電気ヒータ（電気ヒータ）
４０  熱媒体−空気熱交換器（補助加熱手段）
７０、７４  熱媒体−冷媒熱交換器
７３  電気ヒータ（補助加熱手段）
Ｒ  冷媒回路
【図１】
2015229370.tif 000003
【図２】
2015229370.tif 000004
【図３】
2015229370.tif 000005
【図４】
2015229370.tif 000006
【図５】
2015229370.tif 000007
【図６】
2015229370.tif 000008
【図７】
2015229370.tif 000009
【図８】
2015229370.tif 000010
【図９】
2015229370.tif 000011
【図１０】
2015229370.tif 000012
【図１１】
2015229370.tif 000013